(57)【要約】【課題】レンズ軸およびクランプ軸のアライメント調整を簡単かつ短時間に行うことのできるアライメント調整機構を備えたレンズ芯取機を提案すること。【解決手段】レンズ芯取機１では、レンズ軸ハウジング１５にねじ込まれている４本の押しネジ５１〜５４の締め付け量を調整して、レンズ軸ハウジング１５の前後方向の平行調整および角度調整を行うことができ、２本の左側押しネジ６１、６２および２本の右側押しネジ６３、６４のねじ込み量を調整することにより、レンズ軸ハウジング１５の左右方向の平行調整および左右方向の角度調整を同様に行うことができる。レンズ軸ハウジング１５に支持されているレンズ軸１６のクランプ軸７に対するアライメント調整を、８本の押しネジを用いて簡単かつ短時間で行うことができる。【選択図】図１
2010105058.tif 000002
【特許請求の範囲】
【請求項１】
垂直に配置したレンズ軸（１６）と、
前記レンズ軸（１６）に対して上側から同軸状態に対峙しているクランプ軸（７）と、
前記レンズ軸（１６）を支持しているレンズ軸ハウジング（１５）と、
前記クランプ軸（７）を上下方向に移動可能な状態で支持しているクランプ軸ハウジング（６）と、
前記レンズ軸ハウジング（１５）および前記クランプ軸ハウジング（６）が取り付けられているフレーム（２）とを有し、
前記レンズ軸（１６）の上端および前記クランプ軸（７）の下端の間に加工対象のレンズ（Ｗ）を挟み、当該レンズ（Ｗ）に芯取り加工を施すレンズ芯取機（１）において、
前記フレーム（２）に形成した垂直取付面（４）と、
前記レンズ軸ハウジング（１５）に形成した垂直背面（２１）と、
前記垂直背面（２１）を前記垂直取付面（４）に押し付けた状態で、前記レンズ軸ハウジング（１５）を前記フレーム（２）に締結固定している複数本の固定ネジ（１１〜１４）と、
前記垂直背面（２１）に直交する前後方向（Ｙ）に前記レンズ軸ハウジング（１５）を貫通する状態にねじ込まれ、先端を前記垂直取付面（４）に押し付け可能な複数本の押しネジ（５１〜５４）とを有し、
前記押しネジ（５１〜５４）は、前記レンズ軸（１６）に対して左右対称の位置に配置されていると共に、上下に離れた位置に配置されており、
各押しネジ（５１〜５４）のねじ込み量を調整することにより、前記レンズ軸（１６）の前後方向（Ｙ）の位置および傾き（β）が調整されて、前記クランプ軸（７）に対するアライメント調整が行われることを特徴とするレンズ芯取機（１）。
【請求項２】
請求項１に記載のレンズ芯取機（１）において、
前記レンズ軸ハウジング（１５）は、前記垂直背面（２１）の両端から前方に直交する方向に延びている垂直左側面（２２）および垂直右側面（２３）を備えており、
前記フレーム（２）は、前記垂直左側面（２２）に対峙している左壁部分（５６）と、前記垂直右側面（２３）に対峙している右壁部分（５７）とを備えており、
前記左壁部分（５６）には、上下に離れた位置において、前記垂直取付面（４）に平行な方向に、複数本の左側押しネジ（６１、６２）が水平にねじ込まれ、それらの先端により前記レンズ軸ハウジング（１５）の前記垂直左側面（２２）を押し付け可能となっており、
前記右壁部分（５７）には、上下に離れた位置において、前記垂直取付面（４）に平行な方向に、複数本の右側押しネジ（６３、６４）が水平にねじ込まれ、それらの先端により前記レンズ軸ハウジング（１５）の前記垂直右側面（２３）を押し付け可能となっており、
前記左側押しネジ（６１、６２）および前記右側押しネジ（６３、６４）は左右対称の位置に配置されており、
各左側押しネジ（６１、６２）および各右側押しネジ（６３、６４）のねじ込み量を調整することにより、前記レンズ軸（１６）の左右方向（Ｘ）の位置および傾き（α）が調整されて、前記クランプ軸（７）に対するアライメント調整が行われることを特徴とするレンズ芯取機（１）。
【請求項３】
請求項２に記載のレンズ芯取機（１）において、
４本の前記押しネジ（５１〜５４）と、２本の前記左側押しネジ（６１、６２）と、２本の前記右側押しネジ（６３、６４）が配置されていることを特徴とするレンズ芯取機（１）。
【請求項４】
垂直に配置したレンズ軸（１６）と、
前記レンズ軸（１６）に対して上側から同軸状態に対峙しているクランプ軸（７）と、
前記レンズ軸（１６）を支持しているレンズ軸ハウジング（１５）と、
前記クランプ軸（７）を上下方向に移動可能な状態で支持しているクランプ軸ハウジング（６）と、
前記レンズ軸ハウジング（１５）および前記クランプ軸ハウジング（６）が取り付けられているフレーム（２）とを有し、
前記レンズ軸（１６）の上端および前記クランプ軸（７）の下端の間に加工対象のレンズ（Ｗ）を挟み、当該レンズ（Ｗ）に芯取り加工を施すレンズ芯取機（１）において、
前記フレーム（２）に形成した垂直取付面（４）と、
前記レンズ軸ハウジング（１５）に形成した垂直背面（２１）と、
前記垂直背面（２１）を前記垂直取付面（４）に押し付けた状態で、前記レンズ軸ハウジング（１５）を前記フレーム（２）に締結固定している複数本の固定ネジ（１１〜１４）とを有し、
前記レンズ軸ハウジング（１５）は、前記垂直背面（２１）の両端から前方に直交する方向に延びている垂直左側面（２２）および垂直右側面（２３）を備えており、
前記フレーム（２）は、前記垂直左側面（２２）に対峙している左壁部分（５６）と、前記垂直右側面（２３）に対峙している右壁部分（５７）とを備えており、
前記左壁部分（５６）には、上下に離れた位置において、前記垂直取付面（４）に平行な方向に、複数本の左側押しネジ（６１、６２）が水平にねじ込まれ、そられの先端により前記レンズ軸ハウジング（１５）の前記垂直左側面（２２）を押し付け可能となっており、
前記右壁部分（５７）には、上下に離れた位置において、前記垂直取付面（４）に平行な方向に、複数本の右側押しネジ（６３、６４）が水平にねじ込まれ、それらの先端により前記レンズ軸ハウジング（１５）の前記垂直右側面（２３）を押し付け可能となっており、
前記左側押しネジ（６１、６２）および前記右側押しネジ（６３、６４）は左右対称の位置に配置されており、
各左側押しネジ（６１、６２）および各右側押しネジ（６３、６４）のねじ込み量を調整することにより、前記レンズ軸（１６）の左右方向（Ｘ）の位置および傾き（α）が調整されて、前記クランプ軸（７）に対するアライメント調整が行われることを特徴とするレンズ芯取機（１）。
【発明の詳細な説明】
【技術分野】
【０００１】
本発明はレンズ芯取機に関し、レンズの上下方向から把持するためのレンズ軸およびクランプ軸のアライメント調整を簡単かつ短時間に行えるようにしたレンズ芯取機に関するものである。
【背景技術】
【０００２】
レンズ芯取機としては、レンズの上下方向から円筒状のレンズ把持具で機械的にレンズを挟んで調芯するベルクランプ式の芯出し機構を備えたものが知られている。このようなレンズ芯取機は特許文献１に開示されている。
【０００３】
レンズ芯取機においては、レンズを挟むために上下に同軸状態に対向配置されているクランプ軸およびレンズ軸のアライメント精度によってレンズの芯取り後の光軸精度が左右されることが知られている。すなわち、ベルクランプ式の芯出し機構では、円筒状のレンズ把持具によって上下からレンズを挟み、くさび効果を利用してレンズのセンタリングを行う。上下のレンズ把持具が取り付けられているクランプ軸およびレンズ軸のアライメント精度がレンズの芯出し精度に大きく影響する。クランプ軸とレンズ軸のアライメント精度が悪いと、芯出し精度が低下し、芯取りによってレンズの光軸位置を精度良く規定できない。よって、精度良くレンズの芯取りを行うためには、クランプ軸とレンズ軸を精度良く位置合わせする必要がある。
【特許文献１】特開平５−２７７９１９号公報
【発明の開示】
【発明が解決しようとする課題】
【０００４】
ここで、レンズ芯取機の組み立て現場では、レンズ軸とクランプ軸のアライメント調整を、数ミクロンのオーダーで精密に行うために、かなり熟練した技術者が長時間掛けて、レンズ芯取機フレームに形成したレンズ軸ハウジングの取付面およびクランプ軸ハウジングの取付面のキサゲ仕上げなどの作業を行う必要がある。
【０００５】
また、精度良く両軸のアライメント調整ができたとしても、レンズ芯取機の移動、あるいは、経年変化により、両軸に軸ズレが発生する。この場合にも、両軸のアライメント調整のために熟練工による長時間の作業が必要になる。
【０００６】
本発明の課題は、このような点に鑑みて、レンズ軸およびクランプ軸のアライメント調整を簡単かつ短時間に行うことのできる機構を備えたレンズ芯取機を提案することにある。
【課題を解決するための手段】
【０００７】
上記の課題を解決するために、本発明のレンズ芯取機は次の構成を備えていることを特徴としている。なお、括弧内の符号は本発明の実施の形態で使用しているものであり、理解を容易にするために付してあるが、本発明を実施の形態に限定するものではない。
【０００８】
すなわち、本発明は、
垂直に配置したレンズ軸（１６）と、
前記レンズ軸（１６）に対して上側から同軸状態に対峙しているクランプ軸（７）と、
前記レンズ軸（１６）を支持しているレンズ軸ハウジング（１５）と、
前記クランプ軸（７）を上下方向に移動可能な状態で支持しているクランプ軸ハウジング（６）と、
前記レンズ軸ハウジング（１５）および前記クランプ軸ハウジング（６）が取り付けられているフレーム（２）とを有し、
前記レンズ軸（１６）の上端および前記クランプ軸（７）の下端の間に加工対象のレンズ（Ｗ）を挟み、当該レンズ（Ｗ）に芯取り加工を施すレンズ芯取機（１）において、
前記フレーム（２）に形成した垂直取付面（４）と、
前記レンズ軸ハウジング（１５）に形成した垂直背面（２１）と、
前記垂直背面（２１）を前記垂直取付面（４）に押し付けた状態で、前記レンズ軸ハウジング（１５）を前記フレーム（２）に締結固定している複数本の固定ネジ（１１〜１４）と、
前記垂直背面（２１）に直交する前後方向（Ｙ）に前記レンズ軸ハウジング（１５）を貫通する状態にねじ込まれ、先端を前記垂直取付面（４）に押し付け可能な複数本の押しネジ（５１〜５４）とを有し、
前記押しネジ（５１〜５４）は、前記レンズ軸（１６）に対して左右対称の位置に配置されていると共に、上下に離れた位置に配置されており、
各押しネジ（５１〜５４）のねじ込み量を調整することにより、前記レンズ軸（１６）の前後方向（Ｙ）の位置および傾き（β）が調整されて、前記クランプ軸（７）に対するアライメント調整が行われることを特徴としている。
【０００９】
また、本発明のレンズ芯取機（１）において、
前記レンズ軸ハウジング（１５）は、前記垂直背面（２１）の両端から前方に直交する方向に延びている垂直左側面（２２）および垂直右側面（２３）を備えており、
前記フレーム（２）は、前記垂直左側面（２２）に対峙している左壁部分（５６）と、前記垂直右側面（２３）に対峙している右壁部分（５７）とを備えており、
前記左壁部分（５６）には、上下に離れた位置において、前記垂直取付面（４）に平行な方向に、複数本の左側押しネジ（６１、６２）が水平にねじ込まれ、そられの先端により前記レンズ軸ハウジング（１５）の前記垂直左側面（２２）を押し付け可能となっており、
前記右壁部分（５７）には、上下に離れた位置において、前記垂直取付面（４）に平行な方向に、複数本の右側押しネジ（６３、６４）が水平にねじ込まれ、それらの先端により前記レンズ軸ハウジング（１５）の前記垂直右側面（２３）を押し付け可能となっており、
前記左側押しネジ（６１、６２）および前記右側押しネジ（６３、６４）は左右対称の位置に配置されており、
各左側押しネジ（６１、６２）および各右側押しネジ（６３、６４）のねじ込み量を調整することにより、前記レンズ軸（１６）の左右方向（Ｘ）の位置および傾き（α）が調整されて、前記クランプ軸（７）に対するアライメント調整が行われることを特徴としている。
【００１０】
ここで、本発明のレンズ芯取機（１）では、４本の前記押しネジ（５１〜５４）と、２本の前記左側押しネジ（６１、６２）と、２本の前記右側押しネジ（６３、６４）を備えていることが望ましい。
【００１１】
レンズ芯取機において、垂直に対向配置されているレンズ軸とクランプ軸のアライメント調整要素としては、それぞれの軸の平行ズレおよび角度ズレがある。平行ズレは、左右方向Ｘの平行ズレ成分ｘと、これに直交する前後方向Ｙの平行ズレ成分ｙとによって規定される。また、角度ズレは、左右方向の角度ズレ成分αと、これに直交する前後方向の角度ズレ成分βとによって規定される。
【００１２】
本発明のレンズ芯取機では、レンズ軸ハウジングにねじ込まれている複数本（４本）の押しネジを用いて、平行ズレにおける前後方向の平行ズレ成分ｙと、角度ズレにおける前後方向の角度ズレ成分βを除去して、レンズ軸のクランプ軸に対するアライメント調整を行う。
【００１３】
すなわち、複数本（４本）の押しネジを同一方向に同一量回すことにより前後方向の平行調整を行う。各押しネジをフレーム側の垂直取付面の側にねじ込む方向に回すと、押しネジの先端が当該フレーム側の垂直取付面に押し付けられて、レンズ軸ハウジングがフレーム側の垂直取付面から離れる方向（前方）に押し出される。逆に、押しネジをフレーム側の垂直取付面から離れる方向に回すと、レンズ軸ハウジングがフレーム側の垂直取付面に接近する方向（後方）に押し込まれる。これにより、レンズ軸ハウジングによって支持されているレンズ軸の前後方向の平行調整が行われる。
【００１４】
また、複数本（４本）の押しネジのうちの上側の各押しネジを同一方向に同一量回し、下側の各押しネジを同一量だけ、上側の押しネジとは逆方向に回すことにより前後方向の角度調整を行う。例えば、上側の押しネジをフレーム側の垂直取付面の側にねじ込む方向に回し、下側の押しネジを逆方向に回すと、レンズ軸ハウジングの上側部分がフレーム側の垂直取付面から離れる方向に移動し、その下側部分がフレーム側の垂直取付面に接近する方向に移動し、レンズ軸ハウジングは全体として上側が前方に傾斜した状態になる。逆の場合には、レンズ軸ハウジングは全体として下側が前方に傾斜した状態になる。これにより、レンズ軸ハウジングによって支持されているレンズ軸の前後方向の角度調整が行われる。
【００１５】
一方、複数本（２本）の左側押しネジおよび複数本（２本）の右側押しネジのねじ込み量を調整することにより、レンズ軸ハウジングの左右方向の平行調整および左右方向の角度調整を同様に行うことができ、これによって、レンズ軸の左右方向の平行調整および角度調整が行われる。
【発明の効果】
【００１６】
本発明によれば、レンズ軸とクランプ軸のアライメント調整を、複数本の押しネジ、複数本の左側押しネジおよび複数本の右側押しネジのねじ込み作業によって行うことができる。したがって、従来のアライメント調整において必要であったキサゲ作業のような熟練を要する技術が不要となり、また、短時間でアライメント調整技術を習得でき、短時間でアライメント調整を行うことが可能になる。さらに、組み付け後におけるアライメント再調整作業も極めて短時間に行なうことができ、量産現場での両軸のアライメント精度を維持することが簡単になる。
【発明を実施するための最良の形態】
【００１７】
図１は、本発明を適用した実施の形態に係るレンズ芯取機におけるアライメント調整機構の部分を示す概略構成図である。図２は図１のII−II線で切断した部分を示す概略断面図であり、図３は図１のアライメント調整機構の一部を断面で示す正面図である。
【００１８】
レンズ芯取機１はベルクランプ式の芯出し機構を備えており、そのフレーム２には、同一の垂直面上に位置する上側垂直取付面３および下側垂直取付面４が形成されている。上側垂直取付面３には、４本のハウジング固定ネジ５によって、クランプ軸ハウジング６が締結固定されている。クランプ軸ハウジング６には上下方向に移動可能な状態でクランプ軸７が垂直に支持されている。クランプ軸７の上端は、フレーム２に取り付けたクランプシリンダ８に連結されており、クランプシリンダ８によってクランプ軸７が昇降する。
【００１９】
下側垂直取付面４には、４本のハウジング固定ネジ１１〜１４によって、レンズ軸ハウジング１５が締結固定されている。レンズ軸ハウジング１５には回転自在の状態で垂直にレンズ軸１６が支持されており、当該レンズ軸１６は上側のクランプ軸７と同軸状態となるようにアライメント調整されている。
【００２０】
ここで、図４に示すように、レンズ軸１６の上端には上向きの円筒状レンズ把持具１７が同軸状態に取り付けられており、クランプ軸７の下端には下向きの円筒状レンズ把持具１８が同軸状態に取り付けられている。加工対象のレンズＷを下側の円筒状レンズ把持具１７に載せて弱い力で吸引し、上側からクランプ軸７を降下させると、レンズＷが上下から円筒状レンズ把持具１７、１８によって機械的に挟まれた状態になる。円筒状レンズ把持具１７、１８の間に挟まれているレンズＷは、所定のクランプ力で上側から押し付けることによって、その楔効果によって自動的にセンタリングが行われる。
【００２１】
次に、下側のレンズ軸１６を上側のクランプ軸７に対して同軸状態となるようにアライメント調整するためのアライメント調整機構について説明する。レンズ軸ハウジング１５は、全体として直方体形状のブロックであり、その中心に、上下方向に貫通する状態で、レンズ軸１６が延びている。レンズ軸ハウジング１５は、下側垂直取付面４に接している長方形の垂直背面２１と、この垂直背面２１の左右の縁から前方に直角に延びている垂直左側面２２および垂直右側面２３とを備えている。また、垂直左側面２２および垂直右側面２３の前端には内側に傾斜した垂直面取り面２４、２５が連続しており、これら垂直面取り面２４、２５の間には垂直背面２１に平行な垂直前面２６が形成されている。
【００２２】
レンズ軸ハウジング１５には４個のネジ挿通穴３１〜３４が形成されており、これらは、左右の垂直面取り面２４、２５から垂直背面２１まで、垂直背面２１に直交する前後方向Ｙに貫通している。下側垂直取付面４には、各ネジ挿通穴３１〜３４に対応する部位にネジ穴３５が形成されている。ネジ挿通穴３１〜３４は垂直前面２６の側が大径であり、ハウジング固定ネジ５の頭部を挿入可能であり、垂直背面２１の側が小径でありハウジング固定ネジ５のネジ付きの脚部のみを挿入可能であり、ハウジング固定ネジ１１〜１４がネジ穴３５にねじ込まれ、レンズ軸ハウジング１５が下側垂直取付面４に締結固定されている。ネジ挿通穴３１〜３４は、レンズ軸１６を挟み左右対称の位置に２個ずつ形成されており、左側および右側のネジ挿通穴３１、３２、３３、３４は、それぞれ、上下に離れた位置に形成されている。
【００２３】
ここで、レンズ軸ハウジング１５には４個のネジ穴４１〜４４が形成されている。ネジ穴４１〜４４は、左右の垂直面取り面２４、２５から垂直背面２１まで、垂直背面２１に直交する方向に貫通している。これらのネジ穴４１〜４４は、レンズ軸１６を挟み左右対称の位置に２個ずつ形成されており、それぞれ、ネジ挿通穴３１〜３４の上側および下側に形成されている。各ネジ穴４１〜４４には押しネジ５１〜５４がねじ込まれている。各押しネジ５１〜５４の先端は垂直背面２１から後方に突出しており、円盤状の押し板５５を介して下側垂直取付面４に押し付けられている。
【００２４】
一方、フレーム２における下側垂直取付面４の両側には、レンズ軸ハウジング１５の左右の垂直左側面２２および垂直右側面２３に対峙している垂直左壁部分５６および垂直右壁部分５７が形成されている。垂直左壁部分５６には、上下に離れた位置において、下側垂直取付面４に平行な左右方向Ｘに、２本の左側押しネジ６１、６２が水平にねじ込まれ、そられの先端がレンズ軸ハウジング１５の垂直左側面２２に押し付けられている。同様に、垂直右壁部分５７には、上下に離れた位置において、下側垂直取付面４に平行な方向に、２本の右側押しネジ６３、６４が水平にねじ込まれ、それらの先端がレンズ軸ハウジング１５の垂直右側面２３に押し付けられている。これら、左側押しネジ６１、６２および右側押しネジ６３、６４は左右対称の位置に配置されており、本例では、前後方向にねじ込まれている押しネジ５１〜５４と同一高さ位置に配置されている。
【００２５】
（アライメント調整作業）
上側のクランプ軸ハウジング６を４本の固定ネジ５でフレーム２の上側垂直取付面３に締結固定し、しかる後に、下側のレンズ軸ハウジング１５を４本のハウジング固定ネジ１１〜１４でフレーム２の下側垂直取付面４に仮止めし、４本の押しネジ５１〜５４をねじ込み、それらの先端の押し板５５を下側垂直取付面４に押し付けた状態にする。また、左側押しネジ６１、６２および右側押しネジ６３、６４をねじ込み、それらの先端をレンズ軸ハウジング１５の垂直左側面２２および垂直右側面２３に押し付けた状態にする。この状態で、クランプ軸７に対するレンズ軸１６のズレを、ダイヤルゲージを用いて確認する。
【００２６】
図５に示すように、クランプ軸７の軸線７ａに対するレンズ軸１６の軸線１６ａの前後方向Ｙのズレを修正するためには、前後方向のズレｙと前後方向の角度βを修正する。図５（ａ）を参照して説明すると、レンズ軸ハウジング１５が前方向にズレがある場合には、レンズ軸ハウジング１５を下側垂直取付面４の側に平行移動させる。このためには、押しネジ５１〜５４を同一量緩め、ハウジング固定ネジ１１〜１４を締め付ける。逆に、後方向にズレがある場合には、レンジ軸ハウジング１５を下側垂直取付面４から平行に離す。このためには、ハウジング固定ネジ１１〜１４を緩め、押しネジ５１〜５４を同一量だけ締め付ける。
【００２７】
また、図５（ｂ）に示すようなレンズ軸ハウジング１５の前後方向のズレ角度βを修正するためには、例えば、上側の押しネジ５１、５３を同一量だけ締め付け、下側の押しネジ５２、５４を同一量だけ緩め、レンズ軸ハウジング１５を上側が前方により傾いた状態にする。逆方向に修正するためには、上側の押しネジ５１、５３を同一量だけ緩め、下側の押しネジ５２、５４を同一量だけ締め付ける。なお、前後方向の角度調整において、その調整の支点を下げ、上側の部分のみを特に変化させたい場合には、上側の左右の押しネジ５１、５３を同一量だけ締め付け、あるいは、同一量だけ緩める。逆に、調整の支点を上げ、下側の部分のみを特に変化させたい場合には、下側の左右の押しネジ５２、５４を同一量だけ締め付け、あるいは、同一量だけ緩める。
【００２８】
次に、左右方向Ｘのズレを修正するには、左右方向のズレｘと左右方向の角度αを修正する。図５（ａ）を参照して説明すると、レンズ軸ハウジング１５が左方向にズレがある場合には、レンズ軸ハウジング１５を右側に平行移動させる。そのためには、右側押しネジ６３、６４を同一量だけ緩め、左側押しネジ６１、６２を同一量だけ締め付ける。逆に右方向にズレがある場合には、左側押しネジ６１、６２を同一量だけ緩め、右側押しネジ６３、６４を同一量だけ締め付けて、レンズ軸ハウジング１５を左側に平行移動させる。
【００２９】
図５（ｂ）に示すようなレンジ軸ハウジング１５の左右方向のズレ角度αを修正するためには、例えば、上側の右側押しネジ６３と下側の左側押しネジ６２を同一量だけ緩め、下側の右側押しネジ６４と上側の左側押しネジ６１を同一量だけ締め付ける。これにより、レンズ軸ハウジング１５は全体として右旋回する。逆に、下側の右側押しネジ６４と上側の左側押しネジ６１を同一量だけ緩め、上側の右側押しネジ６３と下側の左側押しネジ６２を同一量だけ締め付けることにより、レンズ軸ハウジング１５は全体として左旋回する。
【００３０】
なお、左右方向の角度調整の支点を下げ、上側の部位のみを特に変化させたい場合には、上側の左側押しネジ６１のみを緩め、上側の右側押しネジ６３のみを同一量だけ締め付ける。逆方向に変化させたい場合には、上側の右側押しネジ６３のみを緩め、上側の左側押しネジ６１のみを同一量だけ締め付ける。前後方向の角度調整の支点を上げ、下側の部位のみを特に変化させたい場合には、下側の左側押しネジ６２を緩め、下側の右側押しネジ６４のみを同一量だけ締め付ける。逆方向に変化させたい場合には、下側の右側押しネジ６４のみを緩め、下側の左側押しネジ６２のみを締め付ける。
【００３１】
以上の操作を、ダイヤルゲージの測定値を目視しながら行うことにより、アライメント調整を数ミクロン単位で精度良く行うことができる。
【図面の簡単な説明】
【００３２】
【図１】本発明を適用した実施の形態に係るレンズ芯取機におけるアライメント調整機構の部分を示す概略構成図である。
【図２】図１のII−II線で切断した部分を示す概略断面図である。
【図３】図１のレンズ芯取機のアライメント調整機構を、一部を断面で示す正面図である。
【図４】図１の芯取機のベルクランプ式の芯出し機構の部分を示す説明図である。
【図５】クランプ軸に対するレンズ軸のズレを示す説明図である。
【符号の説明】
【００３３】
１    レンズ芯取機
２    フレーム
３    上側垂直取付面
４    下側垂直取付面
５    ハウジング固定ネジ
６    クランプ軸ハウジング
７    クランプ軸
７ａ  軸線
８    クランプシリンダ
１１〜１４  ハウジング固定ネジ
１５  レンズ軸ハウジング
１６  レンズ軸
１６ａ  軸線
１７、１８  円筒状レンズ把持具
２１  垂直背面
２２  垂直左側面
２３  垂直右側面
２４、２５  垂直面取り面
２６  垂直前面
３１〜３４  ネジ挿通穴
３５、４１〜４４  ネジ穴
５１〜５４  押しネジ
５５  押し板
５６  垂直左壁部分
５７  垂直右壁部分
６１、６２  左側押しネジ
６３、６４  右側押しネジ
Ｗ    レンズ
【図１】
2010105058.tif 000003
【図２】
2010105058.tif 000004
【図３】
2010105058.tif 000005
【図４】
2010105058.tif 000006
【図５】
2010105058.tif 000007